(57)【要約】【課題】  一部の長尺体が破損しても、容易に長尺体を取り替えることができる構造体を提供することにある。【解決手段】  本発明のガラス構造体２０は、２３６本のガラス管１と、それらを取付けるためのＨ鋼からなる躯体２と、それぞれの躯体２の背面に取付けられた補強体３とからなる。補強体３は、平板状のコンクリートからなり、補強体３のガラス管１との対向面３ａには、１６個の発光ダイオードからなる照明３ｂが取付けてある。ガラス管１は、２本を一組として長さ方向に連結してあり、一組のガラス管１が１１８組平行に並べて配設してある。また、各ガラス管１は、躯体２の端部と中央部の二箇所で躯体２に取付けてある。【選択図】      図１
2005240451.tif 000002
【特許請求の範囲】
【請求項１】
躯体と、複数本の長尺体とを備え、複数本の長尺体が略平行に並べて配設され、各々の長尺体が躯体に少なくとも二箇所で取付け金具によって挟着固定してなることを特徴とする構造体。
【請求項２】
長尺体が、ガラス管からなることを特徴とする請求項１に記載の構造体。
【請求項３】
取付け金具が、長尺体と接触する部分に、ゴム又はプラスチックからなるチューブを被覆してなることを特徴とする請求項１又は２に記載の構造体。
【請求項４】
長尺体の開放端に、キャップが取付けてなることを特徴とする請求項１〜３に記載の構造体。
【請求項５】
長尺体が、二本以上の長尺体を長さ方向に連結した連結長尺体であり、長尺体の開放端が嵌着するための嵌着部を両面に有する連結材を用いて長尺体を連結してなることを特徴とする請求項１〜４に記載の構造体。
【発明の詳細な説明】
【技術分野】
【０００１】
従来ガラス管は、蛍光灯、ネオンサイン等に使用されてきたが、近年、建築物の多様化に伴い、ガラス管を建築材料として用いることが提案されている。
【０００２】
例えば、特許文献１には、ガラス管を複数本並べて、間仕切り、衝立、内外壁面の装飾材料、日よけルーバー等の建築用部材として使用することが提案されている。
【０００３】
また、特許文献２、３には、断面が溝型又はＬ型の一対のガラス成形体を対向させて筒状にしたガラス筒体を複数本並べたガラス壁が開示されている。  
【０００４】
このようなガラス管からなる建築用部材又はガラス筒体からなるガラス壁は、軽量でありながら、比較的強固な構造にでき、さらに採光性にも優れるという特徴を有する。
【特許文献１】特開２００４−５２２５９号公報
【特許文献２】特開２００２−２８５６７１号公報
【特許文献３】特開２００３−１２９６０７号公報
【発明の開示】
【発明が解決しようとする課題】
【０００５】
しかしながら、特許文献１の建築用部材又は特許文献２、３のガラス壁は、いずれもガラス管やガラス筒体、いわゆるガラス長尺体の両端部を躯体に保持する構造を有しているため、一部のガラス長尺体が破損しても、両端部の保持構造を取り外す必要があり、交換作業に時間とコストがかかった。
【０００６】
本発明の目的は、一部の長尺体が破損しても、容易に長尺体を取り替えることができる構造体を提供することにある。
【課題を解決するための手段】
【０００７】
本発明の構造体は、躯体と、複数本の長尺体とを備え、複数本の長尺体が略平行に並べて配設され、各々の長尺体が躯体に少なくとも二箇所で取付け金具によって挟着固定してなることを特徴とする。
【発明の効果】
【０００８】
本発明の構造体は、躯体と、複数本の長尺体とを備え、複数本の長尺体が略平行に並べて配設され、各々の長尺体が躯体に少なくとも二箇所で取付け金具によって挟着固定してなるため、一部の長尺体が破損しても、容易に長尺体を取り替えることができる。すなわち、長尺体が破損した場合、長尺体を固定している取付け金具だけを外し又は緩め、破損した長尺体を取り除き、新しい長尺体を躯体と取付け金具とで挟んで固定するだけで済むからである。また、長尺体の端面を露出するようなデザインに対応することができ、また、長尺体を傾斜させた状態で固定することも可能になる。
【０００９】
また、複数本の長尺体に照明を当てると、光の入射角が各々の長尺体によって異なり、入射光が各々の長尺体の表面や内面で異なる角度で屈折、反射するため、予想もしないような光を発し、幻想的な雰囲気を醸し出すことができる。また、ガラス長尺体に入射し長尺体の長さ方向に伝搬した光によって、長尺体の端面が発光するようになる。
【発明を実施するための最良の形態】
【００１０】
長尺体は、樹脂又はガラスからなり、形状としては、断面がＵ字、コ字の長尺の成形体、断面がＵ字、コ字である一対の長尺の成形体を対向させてその長さ方向の端面で接着して筒状にした筒体、断面が円形、楕円形、矩形等の管体又は断面が円形、楕円形、矩形等の無空棒体が使用可能である。長尺体が筒体、管体又は無空棒体であると、機械的強度が高く、塵や埃が溜まり難いため好ましい。特に長尺体がガラス管であると、接着部が剥れたり亀裂が入ったりすることがなく、耐候性に優れるため好ましい。ガラス長尺体のガラス材質としては、特に制限無いが、ホウケイ酸ガラスであると、比較的安価で、耐候性及び耐熱性にすぐれるため好ましい。
【００１１】
また、ガラス長尺体が、表面を化学強化又は物理強化してあると、機械的強度や硬度が高くなり、破損し難いため好ましい。また、万が一破損したとしても、破片が鋭利にならないため好ましい。
【００１２】
取付け金具としては、Ｕ字型、コ字型、釣り針型等の形状の金具が使用でき、取付け金具の全体又は、取付け金具と長尺体が接触する部分にゴム又はプラスチックからなるチューブを被覆してなると、長尺体が破損しにくいため好ましい。
【００１３】
また、長尺体と躯体との間にゴム又はプラスチックからなる緩衝体を配置してなると、長尺体が破損しにくいため好ましい。
【００１４】
また、前記チューブ及び緩衝体は、特に、長尺体がガラス長尺体の場合に上記した効果が大きく、また地震の際の応力を吸収できるという利点もある。
【００１５】
取付け金具の断面形状は、特に制限はないが、略円形であると、長尺体との接触面積が小さく、応力が加わりにくいため好ましい。
【００１６】
また、取付け金具は、その端部に雄ネジ部が形成してあり、ナットを用いて躯体に螺着してなると、長尺体の脱着が容易となるため好ましい。
【００１７】
長尺体が、長尺の成形体、筒体又は管体の場合、その開放端にキャップが取付けてあると、塵や虫等が入らないため好ましい。キャップは、透明又は半透明であると、端面から発せられる光が遮られることがないため好ましい。
【００１８】
また、長尺体が、二本以上の長尺体を長さ方向に連結した連結長尺体であり、長尺体の開放端が嵌着するための嵌着部を両面に有する連結材を用いて長尺体を連結してなると、連結部分の幅を小さくでき、構造体の意匠面の連続性が損なわれることがなく、デザイン性に優れるため好ましい。
【実施例】
【００１９】
以下に、図面を参照して、本発明について説明する。
【００２０】
図１は、本発明のガラス構造体を示す説明図であり、（Ａ）はその側面図であり、（Ｂ）はその正面図である。図２は、本発明のガラス構造体の両端付近にあるガラス管の取付け部を示す説明図であり、図３は、本発明のガラス構造体の中央部にあるガラス管の連結部を示す説明図である。また、図４は、ガラス管の連結部の横断面図であり、図５は、ガラス管の端部の横断面図である。
【００２１】
図１に示すように、本発明のガラス構造体２０は、２３６本のガラス管１と、それらを取付けるためのＨ鋼からなる躯体２と、それぞれの躯体２の背面に取付けられた補強体３とからなる。補強体３は、平板状のコンクリートからなり、補強体３のガラス管１との対向面３ａには、１６個の発光ダイオードからなる照明３ｂが取付けてある。ガラス管１は、２本を一組として長さ方向に連結してあり、一組のガラス管１が１１８組平行に並べて配設してある。また、各ガラス管１は、躯体２の端部と中央部の二箇所で躯体２に取付けてある。尚、ガラス管１は、長さ１６００ｍｍ、肉厚３．２ｍｍ、外径５０ｍｍφのホウケイ酸ガラスからなる。
【００２２】
また、図２に示すように、躯体２には、ガラス管１を取付けるための長尺のＬ字鋼４が、Ｌ字型の連結金具５を介して連結固定してある。尚、躯対２と連結金具５及び連結金具５とＬ字鋼４は、それぞれボルト６とナット７で締着してある。
【００２３】
ガラス管１は、Ｌ字鋼４とＵ字金具８とで挟持し、Ｕ字金具８の先端に形成された雄ネジ部８ａと２個のナット９によってＬ字鋼４に取付けてある。尚、ガラス管１の破損を防ぐために、Ｕ字金具８には、透明なシリコーンチューブ８ｂが被覆してあり、ガラス管１とＬ字鋼４の間には、緩衝体としてシリコーンゴムシート１０がＬ字鋼４に貼着させて設けてある。
【００２４】
また、図３に示すように、２本のガラス管１、１を連結するために、透明なシリコーンゴムからなる連結材１１が、ガラス管１、１の間に設けてある。図４に示すように、この連結材１１には、その両面にガラス管１の端部１ａが嵌着するための嵌着部１１ａが形成してあり、また、気温が変動してガラス管１の内部の空気が膨張収縮しても連結材１１が外れないように、貫通孔１１ｂが形成してある。
【００２５】
また、図５に示すように、ガラス管１、１の非連結側の端部１ａには、塵や虫等の異物が入り込まないように、透明なシリコーンゴムからなるキャップ１２が取付けてある。また、このキャップ１２には、片面にガラス管１の端部１ａが嵌着するための凹部１２ａが形成してあり、気温が変動してガラス管１の内部の空気が膨張収縮してもキャップ１２が外れないように、小さな貫通孔１２ｂが形成してある。
【００２６】
このガラス構造体２０は、ガラス管１の一部が破損したとしても、ナット９を緩め、破損したガラス管を抜き取り、新しいガラス管をＵ字金具８とＬ字鋼４との間に挿入し、ナット９を締め直すだけで、容易にガラス管を取り替えることが可能となる。
【００２７】
また、ガラス構造体２０は、補強体３の対向面３ａに設けられた発光ダイオードからなる照明３ｂから発せられた光が、並設したガラス管１に当たると、光の入射角が各々のガラス管１によって異なり、入射光が、各々のガラス管１の表面や内面で異なる角度で屈折、反射するため、ガラス管１の長さ方向と垂直な方向に光が分散する。その結果、ガラス構造体２０の意匠面２０ａから見ると、光が意匠面２０ａに垂直にのび、幻想的な雰囲気を醸し出すようになる。また、ガラス管１に入射した光は、ガラス管１の端面からも放出され、ガラス管１の端面が光るようになる。
【産業上の利用可能性】
【００２８】
以上説明したように、本発明のガラス構造体は、破損時のガラス長尺体の交換が容易であり、並設されたガラス長尺体に照明を当てることによって、予想もしないような光を発し、幻想的な雰囲気を醸し出すことができるため、モニュメント、看板、ディスプレイ、内外装飾壁等として好適である。
【図面の簡単な説明】
【００２９】
【図１】本発明のガラス構造体を示す説明図であり、（Ａ）はその側面図であり、（Ｂ）はその正面図である。
【図２】本発明のガラス構造体の両端付近にあるガラス管の取付け部を示す説明図である。
【図３】本発明のガラス構造体の中央部にあるガラス管の連結部を示す説明図である。
【図４】ガラス管の連結部の横断面図である。
【図５】ガラス管の端部の横断面図である。
【符号の説明】
【００３０】
１  ガラス管
１ａ  端部
２  躯体
３  補強体
３ａ  対向面
３ｂ  照明
４  Ｌ字鋼
５  連結金具
６  ボルト
７、９  ナット
８  Ｕ字金具
８ａ  雄ネジ部
８ｂ  チューブ
１０  シリコーンゴムシート
１１  連結材
１１ａ  嵌着部
１１ｂ、１２ｂ  貫通孔
１２  キャップ
１２ａ  凹部
２０  ガラス構造体
【図１】
2005240451.tif 000003
【図２】
2005240451.tif 000004
【図３】
2005240451.tif 000005
【図４】
2005240451.tif 000006
【図５】
2005240451.tif 000007